【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムであって、
前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配記述子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統と、
前記放送信号を受信して前記サービス記述テーブル情報を取得し、取得されたサービス記述テーブル情報のロゴ伝送記述子から前記ロゴ伝送記述情報を抽出して前記ロゴ管理情報を取得し、取得されたロゴ管理情報に基づいて前記放送信号の共通データテーブル情報のロゴデータ分配記述子から前記ロゴデータ分配情報を取得し、取得されたロゴデータ分配情報で指定される複数のセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する受信系統とを備える放送システム。
【請求項２】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、
送信系統が、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配記述子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出し、
受信系統が、前記放送信号を受信して前記サービス記述テーブル情報を取得し、取得されたサービス記述テーブル情報のロゴ伝送記述子から前記ロゴ伝送記述情報を抽出して前記ロゴ管理情報を取得し、取得されたロゴ管理情報に基づいて前記放送信号の共通データテーブル情報のロゴデータ分配記述子から前記ロゴデータ分配情報を取得し、取得されたロゴデータ分配情報で指定される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する放送送受信方法。
【請求項３】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータを多重伝送可能な放送システムであって、
前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統と、
前記放送信号を受信して前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する受信系統と
を備える放送システム。
【請求項４】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、送信系統が、前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出し、
受信系統が、前記放送信号を受信して前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する放送送受信方法。
【請求項５】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムであって、
前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号が含まれる放送信号に多重して送出する送信系統と、
前記放送信号を受信して前記MH-CDTを取得し、取得されたMH-CDTのセクションから前記ロゴデータを取得し連結して表示すると共に、前記受信された放送信号から前記第１の音声信号または前記第２の音声信号を取得して前記第１の伝送クロック周波数、前記第２の伝送クロック周波数のいずれかで出力する受信系統と
を備える放送システム。
【請求項６】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、
送信系統が、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号を含む放送信号に多重し、多重された放送信号を送出し、
受信系統が、前記放送信号を受信して前記MH-CDTを取得し、取得されたMH-CDTのセクションから前記ロゴデータを取得し連結し表示すると共に、前記受信された放送信号から前記第１の音声信号または前記第２の音声信号を取得して前記第１の伝送クロック周波数、前記第２の伝送クロック周波数のいずれかで出力する放送送受信方法。
【請求項７】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムであって、
前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重し、前記多重された放送信号を送出する送信系統と、
前記放送信号を受信して前記MH-SDTを取得し、取得されたMH-SDTから前記ロゴ伝送記述子を抽出して前記ロゴ管理情報を取得し、取得されたロゴ管理情報によりロゴデータ分配情報を含むMH-CDTセクションを取得し、ロゴデータ分配情報に基づいて前記放送信号のMH-CDTに分配される複数のCDTセクションから前記モジュールに格納されるロゴ識別、ロゴのタイプごとのロゴデータを取得し、前記受信された放送信号から前記第１の音声信号または前記第２の音声信号を取得して前記第１の伝送クロック周波数、前記第２の伝送クロック周波数のいずれかで出力する音声信号出力部とを備える受信系統とを備える放送システム。
【請求項８】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、
送信系統が、前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重して送出し、
受信系統が、前記放送信号を受信して前記MH-SDTを取得し、取得されたMH-SDTから前記ロゴ伝送記述子を抽出して前記ロゴ管理情報を取得し、取得されたロゴ管理情報によりロゴデータ分配情報を含むMH-CDTセクションを取得し、ロゴデータ分配情報に基づいて前記放送信号のMH-CDTに分配される複数のCDTセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する放送送受信方法。
【手続補正２】
【補正対象書類名】明細書
【補正対象項目名】発明の名称
【補正方法】変更
【補正の内容】
【発明の名称】放送システム及び放送送受信方法
【手続補正３】
【補正対象書類名】明細書
【補正対象項目名】０００１
【補正方法】変更
【補正の内容】
【０００１】
本発明は、放送システム及び放送送受信方法に関する。
【手続補正４】
【補正対象書類名】明細書
【補正対象項目名】０００９
【補正方法】変更
【補正の内容】
【０００９】
この実施形態の目的は、外部接続のオーディオ機器との間の音声信号伝送の伝送クロック周波数として第１の伝送クロック周波数と第２の伝送クロック周波数があり、第１の音声信号は第１の伝送クロック周波数と第２の伝送クロック周波数の両方で伝送可能であり、第２の音声信号は第２の伝送クロック周波数のみで伝送が可能である場合に、被接続オーディオ機器の対応伝送クロック周波数に適する形態で受信した音声信号を出力することができ、さらには音声モードをユーザに識別表示することのできる放送システム及び放送送受信方法を提供することにある。